(57)【要約】【課題】本発明は、外装板の振動に対して留め金具のばね板が追従して伸縮でき、耐久性に優れたものを提供することを目的としている。【解決手段】外装板２０の留め金具３０に取り付けるばね板４０が、平面状の基板部４１と、基板部４１の先端から折り曲げられて外方向にのびて形成された第１ばね片部４２と、第１ばね片部４２の先端から折り曲げられて基板部４１の内面に向かって形成され、断面略S字状の第２ばね片部４３とを備え、第２ばね片部４３が接する基板部４１の内面部分に、傾斜面部４４が形成されている。【選択図】    図３
2004190338.tif 000002
【特許請求の範囲】
【請求項１】
断面H型の支柱に外装板を取り付ける留め金具用のばね板であって、平面状の基板部と、該基板部の先端から折り曲げられて外方向にのびて形成された第１ばね片部と、該第１ばね片部の先端から折り曲げられて該基板部の内面に向かって形成され、断面略S字状の第２ばね片部とを備え、該基板部であって、該第２ばね片部が接する部分に、傾斜面部が形成されたことを特徴とする外装板の留め金具用ばね板。
【請求項２】
請求項１に記載の外装板の留め金具用ばね板において、該第２ばね片部は、第１ばね片部との接合部から、該基板部と第１ばね片部との接合部方向に滑らかに曲面形状に形成され、その先端から該基板部と第１ばね片部との接合部と反対方向に滑らかに曲面形状に形成された略S字状であることを特徴とする。
【請求項３】
請求項１又は２に記載の外装板の留め金具用ばね板において、該傾斜面部が、該基板部の内面から第１ばね片部方向に向かって、該基板部と第１ばね片部との接合部の方向に斜めに伸びて形成され、該ばね板の伸縮時には第２ばね片部がこの傾斜面部をスライドするようになっていることを特徴とする。
【請求項４】
請求項３に記載の外装板の留め金具用ばね板において、該傾斜面部は、該基板部を折り曲げて形成されていることを特徴とする。
【発明の詳細な説明】
【０００１】
【産業上の利用分野】
この発明は、高速道路、一般道路、橋などの遮音壁に装着される外装板の留め金具、特に留め金具に一体に設けられるばね板に関する。
【０００２】
【従来の技術】
一般的に、従来の遮音壁は、例えば図５に示すように、道路等のコンクリート側壁１０１上に立設された側片部が壁面方向に沿う横断面Ｈ形の一対の支柱１０２、１０２間に、複数枚の遮音壁パネル１１０が上下に段積み状態に取り付けられている。各遮音壁パネル１１０は、図６に示すように、その左右両側端部１１０ａ，１１０ａが支柱１０２の溝部１０３内に位置して、該支柱１０２の内辺部１０２ａに当接した状態で、その側端部１１０ａと支柱１０２の外辺部１０２ｂとの間に、曲成した板ばね材からなる取付金具１０５が嵌めこまれることによって、当該支柱１０２に保持されるようになっている。１０４は落下防止用ワイヤーであり、パネル左右両側の上下と取付金具１０５とに設けた孔部１０６を通して、段積みされた上下のパネル１１０…間にわたって挿通されている。
【０００３】
また、支柱１０２の外辺部１０２ｂの外側に、図７及び図８に示すように、外装板１２０が留め金具１３０で取り付けられている。
外装板１２０は、金属板を成型加工することで所定の大きさに形成され、裏面の両側端部には補強板１２１がそれぞれ固定されている。この補強板１２１に留め金具１３０がボルト１２２を介して装着される。
【０００４】
留め金具１３０は、基本的には略左右方向、即ち支柱と直角な方向に延び、金属帯板の一方の端部（支柱に近い方向であって、以下支柱側と称す）に屈曲形成した係止部１３１ａを有するベースプレート１３１と、このベースプレート１３１に固定され、他方の端部（支柱と遠い方向であって、以下支柱と逆方向と称す）から外方（外装板が位置する方向であって、以下外方向と称す）に向けて配設されたバネ板１４０を備えている。ばね板１４０の詳細構造は後述するが、金属帯板を屈曲形成して形成され、弾性が付与されている。
【０００５】
補強板１２１の外方側には一対の回転防止用突起１２４を設けた裏当板１２５が溶接等により固定され、回転防止用突起１２４は補強板１２１のスリット孔１２１ａから内方側に突出するようにしてある。この回転防止用突起１２４は、前記ばね板１４０を係止することで前記ボルト１２２を締め付ける際に留め金具１３０の連れ回りを防止する。
【０００６】
ベースプレート１３０及びばね板１４０を貫通するボルト挿通孔１３２が設けられている。外装板１２０の取り付けに際しては、ボルト挿通孔１３２、補強板１２１の貫通孔１２１ｂ及び裏当板１２５の貫通孔１２５ａに挿入され、ナット１２３と螺合されたボルト１２２が緩められた状態にしておき、補強板１２１と留め金具１３０の係止部１３０ａとの間に支柱１０２の外辺部１０２ｂが挿入され、バネ板１４０が回転防止用突起１２４．１２４間に配設されている状態で、ボルト１２２を締め付ける。このことで、ベースプレート１３１と補強板１２１との間でバネ板１４０が圧縮された状態で、留め金具１３０の係止部１３０ａと補強板１２１との間に支柱１０２の外辺部１０２ｂが挟まれて、外装板１２０が支柱１０２に弾性的に保持される。即ち、ボルト１２２を締結することで、ベースプレート１３１の係止部１３１ａが支柱１０２の外辺部１０２ａに押し付けられ、バネ板１４０が弾性的に補強板１２１に押し付けられて、外装板１２０が支柱１０２に保持される。
【０００７】
次にばね板１４０の構造を、図９により説明する。ばね板１４０の平板状の基板部１４１がベースプレート１３１に溶接又はリベット１３３により固定されている。この基板部１４１の先端（支柱と逆方向）から折れ曲がって、外方向（補強板１２１の方向）で支柱方向に斜めに傾斜して第１ばね片部１４２が形成され、この第１ばね片部１４２の先端から折れ曲って内方向（基板部１４１方向）で支柱と反対方向に斜めに伸びて第２ばね片部１４３が形成され、この第３ばね片部１４３の先端から折れ曲って外方向で支柱と反対方向に伸びて第３ばね片部１４４が形成されている。（特許文献１）
【０００８】
【特許文献１】
特開２００２−６１１２２号公報
【０００９】
【発明が解決しようとする課題】
高速道路等を通過する車両や自然の通風によって、外装板１２０が揺れて振動し、外装板１２０と支柱１０２とに隙間ができたり、元の接触状態に戻ったりする。この外装板１２０の振動による動きに対して、留め金具１３０のばね板１４０のばね力によって、支柱１０２と外装板１２０とのガタツキ、振動音が防止されるようになっている。
即ち、振動により外装板１２０と支柱１０２との間に隙間が生じた際には、第１ばね片部１４２のばね復元力によって、第１ばね辺部１４２と基板部１４１との角度が広がる方向になり、第１ばね片部１４２と第２ばね片部１４３との接合部と基板部１４１との間隔Ｄが広がる。それと共に、第１ばね片部１４２と第２ばね片部１４３との接合部の角度が広がる方向になり、第２ばね片部１４３と第３ばね片部１４４との接合部が、基板部１４１の内面に接触しながら、基板部１４１の内面上を係止部１３１ａの方向にスライドするようになっている。
しかし、間隔Ｄが拡大する方向と、第２ばね片部１４３と第３ばね片部１４４との接合部が基板部１４１の内面をスライドする方向が略直角方向であるため、滑らかにスライドできないことがあった。
【００１０】
特に、上記従来のばね板１４０の構造では、外装板１２０を支柱１０２に締め付けて固定する際には、基板部１４１と第１ばね片部１４２との接合部の角度は狭まる方向になり、第１ばね片部１４２と第２ばね片部１４３との接合部の角度も狭まる方向になる。しかし、第２ばね片部１４３と第３ばね片部１４４との接合部の角度は逆に拡がる方向になる。そして、支柱１０２と外装板１２０との間隔が開く状態になった際には、それぞれの接合部の角度は、上記と逆の方向、即ち、基板部１４１と第１ばね片部１４２との接合部の角度は拡がる方向になり、第１ばね片部１４２と第２ばね片部１４３との接合部の角度も拡がる方向になり、第２ばね片部１４３と第３ばね片部１４４との接合部の角度は逆に狭まる方向になる。
このように、間隔Ｄが伸張又は収縮する際に、各接合部で狭まる方向と拡がる方向とが同時に発生するために、繰返し使用している間に、ばね板１４０のばね性能が劣化し、遂にはばね機能を損なうことがある。
【００１１】
そのために、ばね板の形状として、図４に示すような構造を開発中である。ばね板４０の第１ばね片部４２から滑らかに折曲がって形成される第２ばね片部４３を略S字状に形成し、ばね板４０が収縮する際には、基板部４１と第１ばね片部４２との接合部の角度が狭くなるが、それに合わせて、第２ばね片部４３の略Ｓ字状の曲面部４３ａ、４３ｂも狭まる方向になるようにし、ばね板４０が伸張する際には、基板部４１と第１ばね片部４２との接合部の角度が拡がるが、それに合わせて、第２ばね片部４３の略Ｓ字状の曲面部４３ａ、４３ｂも拡がる方向になるようにした。
このようにすれば、ばね板４０の伸張に対しては、接合部や曲面部が同時に拡がる方向になり、ばね板４０の収縮に対しては、接合部や曲面部が同時に狭くなる方向になるので、ばね機能の持続性が飛躍的に増加できるものとなった。
【００１２】
しかし、この構造では、第２ばね片部４３を略Ｓ字状としたために、第１ばね片部４２と第２ばね片部４３との接続部分と第２ばね片部４３の先端４３ｃ（基板部４１と接触する部分）との横方向（第２ばね片部４３の先端が基板部４１の内面を滑る方向）での距離が極めて短くなり、ばね板４０の伸縮に応じて第２ばね片部４３の先端が基板部４１の内面を滑らかにスライドすることができない課題を発生した。
特に、留め金具３０を支柱２と外装板２に取り付けた際に、ばね板４０は、図４の実線の状態から２点鎖線の状態に圧縮される。この圧縮された状態では、基板部４１の内面に接触している第２ばね辺部４３の先端４３ｃは基板部４１の内面と平行な面になるほど弾性変形しており、面接触している。
この状態から、支柱２と外装板２０とに隙間が生じる方向に振動が発生し、ばね板４０が拡がる方向にばね力を作用する必要が出た場合に、第２ばね片部４３の略Ｓ字状の曲面部分４３ａ、４３ｂは拡がる方向にばね力を作用する。このとき、第２ばね片部４３の曲面部４３ａと４３ｂとが拡がることによって、第２ばね片部４３の先端４３ｃが横方向（図４において紙面の左右方向）に移動する距離はほとんどない。そのために、支柱２と外装板２０との間に隙間が生じて、第１ばね片部４２と第２ばね片部４３との接合部が外方向に拡大するようにばね力が作用した際に、第２ばね片部４３の先端４３ｃが基板部４２の内面を滑らかにスライドできない不具合を見つけた。
【００１３】
本発明は、上述の事情に鑑みて、外装板の振動に対して追従性の良い留め金具、特にばね板を提供するものであって、特に外装板の振動に対してばね板が追従して伸縮でき、耐久性に優れたものを提供することを目的としている。
【００１４】
【課題を解決するための手段】
上記の目的を達成するために、請求項１の発明では、断面H型の支柱に外装板を取り付ける留め金具用のばね板であって、平面状の基板部と、該基板部の先端から折り曲げられて外方向にのびて形成された第１ばね片部と、該第１ばね片部の先端から折り曲げられて該基板部の内面に向かって形成され、断面略S字状の第２ばね片部とを備え、該基板部であって、該第２ばね片部が接する部分に、傾斜面部が形成された構成である。
【００１５】
この構成では、第２ばね片部が基板部に接する先端部が傾斜面上をスライドできるので、ばね板の伸縮に対して、第２ばね片部が基板部に対して滑らかにスライドして追従できる。従って、外装板と支柱間に隙間が開いたり、両者が接触したりする振動が発生した場合でも、外装板の振動によるガタツキを防止でき、振動音を抑制できる。
【００１６】
請求項２の発明は、請求項１に記載の外装板の留め金具用ばね板において、該第２ばね片部は、第１ばね片部との接合部から、該基板部と第１ばね片部との接合部方向に滑らかに曲面形状に形成され、その先端から該基板部と第１ばね片部との接合部と反対方向に滑らかに曲面形状に形成された略S字状であるので、ばね板の伸縮に応じて第２ばね片部が滑らかに拡大・縮小でき、伸縮の繰り返しに対して耐寿命性に優れる。
【００１７】
請求項３の発明は、請求項１又は２に記載の外装板の留め金具用ばね板において、該傾斜面部が、該基板部の内面から第１ばね片部方向に向かって、該基板部と第１ばね片部との接合部の方向に斜めに伸びて形成され、該ばね板の伸縮時には第２ばね片部がこの傾斜面部をスライドするようになっているので、特に外装板と支柱との間に隙間が生じる動き、即ちばね板の伸張方向の動きに対して、第２ばね片部の先端が上記傾斜面に沿って滑らかにスライドでき、追従性に優れる。
【００１８】
請求項４の発明は、請求項３に記載の外装板の留め金具用ばね板において、該傾斜面部は該基板部を折り曲げて形成されているので、簡単、低コストで傾斜面部を形成できる。
【００１９】
以下、本発明の実施例を図１ないし図３に基づいて説明する。
図１に示すように、本発明の外装板留め金具３０は、支柱側に略Ｕ字状に折り曲げ形成した係止部３１ａを有する金属板製のベースプレート３１と、このベースプレート３１の外方向にリベット３３で固定され、支柱２と逆方向から外方向に向けて配設されたバネ板４０を備えている。留め金具３０は、取付状態では、基本的には略左右方向、即ち支柱２と直角な方向に延びた配置になっており、支柱２の外辺部２ｂ係止部３１ａが押し付けられ、補強板２１にばね板４０が押し付けられて、外装板２０を支柱２に保持している。
【００２０】
補強板２１の外方側には一対の回転防止用突起２４を設けた裏当板２５が溶接等により固定され、回転防止用突起２４は補強板２１のスリット孔（図示せず）から内方側に突出している。この回転防止用突起２４は、前記ばね板４０を係止することで前記ボルト２２を締め付ける際に留め金具３０の連れ回りを防止する。回転防止用突起２４は補強板２１に直接設けるようにしても良い。尚、前記ナット２３は裏当板２５に溶接固定される。補強板２１に雌ねじ筒を設けるか又はねじ孔を設ける構成にすればナット２３を省略することもできる。
【００２１】
外装板２０の取り付けに際しては、ベースプレート３０及びばね板４０を貫通するボルト挿通孔３２、補強板２１の貫通孔２１ｂ及び裏当板２５の貫通孔２５ａに挿入され、ナット２３と螺合されたボルト２２を緩めて、補強板２１と留め金具３０の係止部３０ａとの間に支柱２の外辺部２ｂが挿入される状態にする。そして、この間に支柱２の外辺部２ｂが挿入された後、バネ板４０が回転防止用突起２４、２４間に配設されている状態で、ボルト２２を締め付ける。このことで、ベースプレート３１と補強板２１との間でバネ板４０が収縮された状態となり、外装板２０が支柱２に弾性的に保持されることとなる。即ち、ボルト２２を締結することで、ベースプレート３１の係止部３１ａが支柱２の外辺部に押し付けられ、バネ板４０が収縮して弾性的に補強板２１に押し付けられて、外装板２０を支柱２に弾性的に保持する。
【００２２】
次に、図２及び図３により、ばね板４０の構造を説明する。ばね板４０の平板状の基板部４１が留め金具３０に溶接又はリベット３３により固定されている。この基板部４１の先端（支柱と逆方向）から折れ曲がって、外方向（補強板２１の方向）で支柱方向に斜めに傾斜して第１ばね片部４２が形成されている。この第１ばね片部４２の先端から折れ曲って、２つの曲面部４３ａ、４３ｂを備える断面略Ｓ字状の第２ばね片部４３が形成されている。
基板部４１には、傾斜面部４４が折り曲げ形成され、第２ばね片部４３の先端部４３ｃ（ここで言う先端部とは、傾斜面部４４と接触する部分のことであって、必ずしも最先端部とは限らない）が、この傾斜面部４４に接してスライドするようになっている。
【００２３】
実際の取付状態では、図１に示すように、ボルト２２を締め付けた際には、ばね板４０の第１ばね片部４２が補強板２１に押し付けられ、第２ばね片部４３の曲面部４３ａ、４３ｂが狭められ、第２ばね片部４３の先端部４３ｃが傾斜面部４４に接触した状態になっている。
【００２４】
この状態において、外装板２０が振動により支柱２から離れるような振動を生じた場合には、第１ばね片部４２が拡がって追従するとともに、第２ばね片部４３の曲面部４３ａ、４３ｂも元の大きさに拡がるようにばね力が作用する。それとともに、第２ばね片部４３の先端部４３ｃは、先端部４３ｃと傾斜面部４４とが常に接触した状態で、傾斜面部４４を上るようにスライドする。従って、外装板２０が支柱２の外辺部２ｂから離れる方向の動作を生じた場合でも、ばね板４０がばね力を持ったまま追従するので、外装板２０は支柱２に保持される。
そして、外装板２０が元の位置に戻る、即ち支柱２の外辺部２ｂと接触する状態になると、第１ばね辺部４２基板部方向に圧縮され、第２ばね辺部４３の曲面部４３ａ、４３ｂが狭くなり、ばね板４０は再びボルト２２を締めた状態と同じ状態にもどる。この際に、第２ばね辺部４３の先端部４３ｃは傾斜面４４を下方にスライドするので、上記狭くなる動作が滑らかに実現される。
【００２５】
傾斜面部４４に横方向にビードを設けて、傾斜面部４４の強度アップを図っても良い。また、このビードを設けることで傾斜面部４４と第２ばね片部４３との接触面積を少なくして、滑りやすくしても良い。
また、傾斜面部の傾斜角度は、この留め金具、支柱及び外装板の大きさや補強版とベースプレートとの距離などにより異なり、また、設置場所が振動の激しい場所かどうか等で異なるが、１０°から４０°の範囲とすることが好ましい。
また、傾斜面部はほぼ平坦面で形成されているが、平坦面形状に限られるものではなく、僅かに曲面形状にしてもよい。その場合、第２ばね辺部４３の曲面部４３ｂに沿うような形状でも、逆の形状でも良い。
【００２６】
上記実施例は、外装板の留め金具に用いたばね板であるが、遮音板の取付金具にこのばね板を適用してもよい。
【００２７】
【本発明の効果】
本発明の請求項１の発明では、断面H型の支柱に外装板を取り付ける留め金具用のばね板であって、平面状の基板部と、該基板部の先端から折り曲げられて外方向にのびて形成された第１ばね片部と、該第１ばね片部の先端から折り曲げられて該基板部の内面に向かって形成され、断面略S字状の第２ばね片部とを備え、該基板部であって、該第２ばね片部が接する部分に、傾斜面部が形成されている。
この構成では、第２ばね片部が基板部に接する先端部が傾斜面上をスムーズにスライドできるので、ばね板の伸縮に対して追従でき、外装板と支柱間に隙間が開いたり、両者が接触したりする振動が発生した場合でも、外装板の振動によるガタツキを防止でき、振動音を抑制できる。
【００２８】
また、傾斜面部が基板部を折り曲げて形成されたものでは、簡単、低コストで傾斜面部を形成できる。
【図面の簡単な説明】
【図１】本発明の実施形態１に係る外装板の留め金具が取り付けられた遮音壁を示す断面図である。
【図２】図１の外装板の留め金具を示す。
【図３】図２の外装板の留め金具のばね板を示す斜視図である。
【図４】外装板の留め金具を示す図２と同様な図である。
【図５】一般的な遮音壁を取り付けた道路の概略を示す。
【図６】従来の遮音壁の取付金具の取り付け状態を示す断面図である。
【図７】従来の外装板留め金具の取り付け状態を示す断面図である。
【図８】図７に示す外装板留め金具の取り付け状態を説明ずる分解図を示す。
【図９】従来の外装板留め金具の作動状態を説明する図である。
【符号の説明】
１      遮音壁
２      支柱
２a      内辺部
２ｂ     外辺部
５      取付金具
１０      遮音パネル
２０      外装板
２１      補強板
２２      ボルト
２３      ナット
２４      回転防止用突起
２５      裏当板
３０      留め金具
３１      ベースプレート
３１ａ      係止部
４０      ばね板
４１      基板部
４２      第１ばね片部
４３      第２ばね片部
４３ａ      曲面部
４３ｂ      曲面部
４３ｃ    先端部
４４      傾斜面部
４５      カラー
【図１】
2004190338.tif 000003
【図２】
2004190338.tif 000004
【図３】
2004190338.tif 000005
【図４】
2004190338.tif 000006
【図５】
2004190338.tif 000007
【図６】
2004190338.tif 000008
【図７】
2004190338.tif 000009
【図８】
2004190338.tif 000010
【図９】
2004190338.tif 000011